(57)【要約】【課題】確実に最終退場者が侵入センサを有効状態に切り替えられ、出退勤管理も合わせて行う侵入監視システムを提供する。【解決手段】侵入監視システムは、店舗に配置され、該店舗への人の侵入を検知して警報信号を発する侵入センサおよび該店舗が無人のとき上記侵入センサの機能を有効にする制御装置を備える侵入監視システムにおいて、個人識別情報を取得する個人識別情報取得手段を備え、上記制御装置は、個人識別情報の取得により該店舗に勤務しているすべての人が退勤したときに上記侵入センサの機能を有効に切り替え、また、個人識別情報の取得により該店舗に勤務している人の中一番先に出勤した人を確認したときに上記侵入センサの機能を無効に切り替える。【選択図】図１
2007018084.tif 000002
【特許請求の範囲】
【請求項１】
店舗に配置され、該店舗への人の侵入を検知して警報信号を発する侵入センサおよび該店舗が無人のとき上記侵入センサの機能を有効にする制御装置を備える侵入監視システムにおいて、
個人識別情報を取得する個人識別情報取得手段を備え、
上記制御装置は、個人識別情報の取得により該店舗に勤務しているすべての人が退勤したことを確認したときに上記侵入センサの機能を有効に切り替え、また、個人識別情報の取得により該店舗に勤務している人の中で一番先に出勤した人を確認したときに上記侵入センサの機能を無効に切り替えることを特徴とする侵入監視システム。
【請求項２】
上記制御装置は、該店舗に勤務している人毎に当日の奇数回の個人識別情報の取得の時刻を出勤時刻、当日の偶数回の個人識別情報の取得の時刻を退勤時刻として記録することを特徴とする請求項１に記載する侵入監視システム。
【請求項３】
上記制御装置は、該店舗の閉店から所定の時間経過後上記侵入センサの機能を強制的に有効に切り替えることを特徴とする請求項１に記載する侵入監視システム。
【請求項４】
上記制御装置は、上記侵入センサの機能が強制的に有効に切り替えられ、個人識別情報を取得したとき、当該個人識別情報により識別される人が出勤中の場合、当該個人識別情報を取得した時刻を退勤時刻とすることを特徴とする請求項３に記載する侵入監視システム。
【請求項５】
上記制御装置は、上記侵入センサの機能が強制的に有効に切り替えられ、個人識別情報を取得したとき、当該個人識別情報により識別される人が退勤している場合、当該個人識別情報により識別される人が出勤したと判断し、当該個人識別情報を取得した時刻を出勤時刻とし、上記侵入センサの機能を無効に切り替えることを特徴とする請求項３に記載する侵入監視システム。
【請求項６】
上記侵入センサから警報信号が発せられたとき、関係先に自動通報することを特徴とする請求項１乃至５のいずれか一項に記載する侵入監視システム。
【請求項７】
上記個人識別情報は、個人識別番号またはバイオメトリックス情報であることを特徴とする請求項１乃至６のいずれか一項に記載する侵入監視システム。
【発明の詳細な説明】
【技術分野】
【０００１】
この発明は、勤務する人の出退勤管理と合わせて行う不審者の侵入を監視する侵入監視システムに関する。
【背景技術】
【０００２】
従来の侵入監視システムでは、申し渡しなどにより分かる最終退場者が各店舗または複数の店舗の共用として備えられたカードリーダから情報を入力して侵入監視システムの操作の許可を得た後侵入センサを有効状態に設定する。また、逆に、一番先に入場する人は、侵入センサの有効状態を確認し、カードリーダから情報を入力して侵入監視システムの操作の許可を得た後侵入センサを無効状態に設定する（例えば、特許文献１参照）。
【０００３】
【特許文献１】特開平７−２９３０７０号公報
【発明の開示】
【発明が解決しようとする課題】
【０００４】
しかし、最終退場者は申し渡しなどにより分かるが、連絡が悪かったりしたときには最終退場者が侵入センサを有効状態に切り替えずに帰宅してしまったり、まだ残っている人がいるにも係わらずに侵入センサを有効状態に切り替えて侵入センサを作動させてしまうなどの問題がある。
また、侵入監視システムとは別個に出退勤管理システムが併設されているときには、個人認証のための個人情報の入力を２回行わなければならず、煩雑であるだけでなくシステムに係わる費用も高額になるという問題がある。
【０００５】
この発明の目的は、確実に最終退場者が侵入センサを有効状態に切り替え、出退勤管理も合わせて行う侵入監視システムを提供することである。
【課題を解決するための手段】
【０００６】
この発明に係わる侵入監視システムは、店舗に配置され、該店舗への人の侵入を検知して警報信号を発する侵入センサおよび該店舗が無人のとき上記侵入センサの機能を有効にする制御装置を備える侵入監視システムにおいて、個人識別情報を取得する個人識別情報取得手段を備え、上記制御装置は、個人識別情報の取得により該店舗に勤務しているすべての人が退勤したことを確認したときに上記侵入センサの機能を有効に切り替え、また、個人識別情報の取得により該店舗に勤務している人の中で一番先に出勤した人を確認したときに上記侵入センサの機能を無効に切り替える。
【発明の効果】
【０００７】
この発明に係わる侵入監視システムの効果は、店舗に勤務している人により個人識別情報取得手段から個人識別情報が入力されるだけで、出退勤管理のためのデータが収集されるとともに、出勤中の人が他に居ないことから最後に退場する人が特定され、侵入監視が開始されるので、出勤時と退勤時それぞれ１回だけ個人識別情報を入力すればよい。
また、最終退場者は自身としては最終に退場するという面倒な確認をしなくてもよい。
【発明を実施するための最良の形態】
【０００８】
この発明の実施の形態に係わる侵入監視システム１は、例えば、図１に示すような、建物の１つのフロア２を占める複数の店舗３に対する不審者の侵入を監視する。これらの店舗３は、図示しない柱などを基準にして区切られており、壁などの構造物では区切られていない。なお、壁や扉などの構造物により区切られた店舗３に対する侵入監視にもこの発明の侵入監視システム１を適用することができる。
そして、各店舗３には店舗３が占める領域への人の侵入を監視する侵入センサ４が少なくとも１つ設置されている。侵入センサ４として、例えばパッシブ型赤外線方式を採用したものが適用されるが、人の侵入を監視できるものであれば如何なる方式の侵入センサ４であってもよい。
【０００９】
これからの説明のために図１に示すような店舗配置の例を取り上げる。建物の１つのフロア２にＮ軒の店舗３が開設されている。そして、店舗３毎に店舗番号（店１〜店Ｎ）が付けられている。各店舗３の専有する領域は図１での点線のように区切られている。そして、各店舗３には、その専有する領域への人の侵入を監視するための侵入センサ４が設置されている。
さらに、このフロア２の全ての店舗３に勤務している人には、個人識別情報としてのＩＤ番号が付与されている。そして各人は、そのＩＤ番号が記憶されている図示しないＩＤカードを所持している。
なお、個人識別情報としては、他にも指紋、虹彩、静脈パターン、音声などバイオメトリックス情報を用いてもよい。また、個人識別情報として、携帯電話から携帯電話付き個人識別情報取得手段に電話をかけることにより送られる携帯電話番号を用いてもよい。
また、ＩＤカードとして、磁気などの接触式または電波や光などの非接触式の何れであってもよい。また、ＩＤカードの替わりにＩＤ番号を光や音により通信できる機能が付属された携帯電話であってもよい。
【００１０】
侵入監視システム１は、ＩＤ番号をＩＤカードから取得する個人識別情報取得手段としてのカードリーダ１１、各店舗３に勤務している人の出退勤を管理するとともに侵入センサ４を制御する制御装置１２、有効状態であるとき人が対象とする領域に侵入すると警報信号を発する侵入センサ４および警報信号が発せられたとき鳴動するベル１３を備える。
カードリーダ１１は、管理室１５に備えられている制御装置１２に通信回線１６により接続されている。また、制御装置１２とベル１３は、通信回線１６を介して侵入センサ４とそれぞれ接続されている。
カードリーダ１１は、図２に示すように、かざされたＩＤカードからＩＤ番号を読み取るリーダヘッド２１、個人認証の結果および侵入センサの状態の切り替えを表示する表示器２２が正面に備えられる。表示器２２にはＯＫ灯２３とＮＧ灯２４が設けられている。
なお、侵入センサ４から警報信号が発せられたとき、管理室１５に備えられたベル１３を鳴らすことにより管理人に自動通報しているが、例えば、インターネットなどを経由して外部の警備会社や店舗の管理者などに自動通報してもよい。
【００１１】
制御装置１２は、図３に示すように、各店舗３に関する情報とその店舗３に勤務する人の出退勤記録とが記録されているデータベース２５、ＩＤ番号に基づいて個人認証する個人認証手段２６、出退勤記録を記憶する出退勤管理手段２７、最終退場者の退場を確認して侵入センサ４を有効状態に切り替え、一番先の入場者の入場を確認して侵入センサ４を無効状態に切り替えるセンサ制御手段２８を有している。そして、制御装置１２は、ＣＰＵ、ＲＯＭ、ＲＡＭ、インターフェースを有するコンピュータから構成されている。
なお、図示しないが各店舗３に制御装置１２と接続している端末が設置されており、店舗情報の更新や該当する人の出退勤記録を取り寄せることができる。
【００１２】
各店舗３に関する情報は、店舗番号、各店舗３に設置されている侵入センサ４の装置番号、各店舗３に勤務している人の氏名およびＩＤ番号である。これらの情報が、店舗情報テーブル３１としてデータベース２５に格納されている。
また、各店舗３に勤務している人の出退勤記録としての各人の出勤時刻および退勤時刻が、図４に示すように、出勤簿３２としてデータベース２５に格納されている。なお、一日の勤務時間が分かれている場合、複数の出勤時刻欄と複数の退勤時刻欄とを用意して記録するようにすればよい。
また、各店舗３の現時点での出勤状況を表す出勤表３３がデータベース２５に格納されている。出勤表３３は、店舗３毎に用意され、図５に示すように、各店舗３に在籍する人のＩＤ番号が記録されるＩＤ番号欄３４と出勤状態を表す出勤中フラグ欄３５とから構成されている。出勤中フラグを立てるとは、出勤中フラグ欄３５に１を記憶させることであり、出勤中フラグを倒すとは、出勤中フラグ欄３５に０を記憶させることである。
【００１３】
個人認証手段２６は、カードリーダ１１で取得されたＩＤ番号が店舗情報テーブル３１に登録されているとき個人を認証する。
出退勤管理手段２７は、ＩＤ番号が店舗情報テーブル３１に登録されていて、且つ出勤表３３のそのＩＤ番号に対応する出勤中フラグ欄３５に出勤中フラグが立っていないとき、出勤してきたとして現時刻を出勤時刻として出勤簿３２の当日の出勤時刻欄に記憶する。
また、出退勤管理手段２７は、ＩＤ番号が店舗情報テーブル３１に登録されていて、且つ出勤表３３のそのＩＤ番号に対応する出勤中フラグ欄３５に出勤中フラグが立っているとき、退勤するとして現時刻を退勤時刻として出勤簿３２の当日の退勤時刻欄に記憶する。
【００１４】
センサ制御手段２８は、出退勤管理手段２７により退勤すると判断されたとき、退勤する人が属する店舗に係わる出勤表３３の出勤中フラグ欄３５に出勤中フラグが立っていないときその退勤する人を最終退場者として侵入監視を開始する。
また、センサ制御手段２８は、出退勤管理手段２７により出勤すると判断されたとき、出勤する人が属する店舗に係わる出勤表３３の出勤中フラグ欄３５に出勤中フラグがたっていないときその出勤する人を一番先の入場者として侵入監視を中止する。
また、センサ制御手段２８は、所定の時刻に達したとき、強制的に侵入監視を開始する。
【００１５】
次に、実施の形態に係わる侵入監視システムを用いた出退勤管理および侵入センサの制御について説明する。
図６、図７、図８は、実施の形態に係わる侵入監視システムを用いた出退勤管理および侵入センサの制御の手順を示すフローチャートである。
侵入監視システムが起動されると、侵入センサは無効状態に設定される。
ステップ（以下、Ｓと略記する。）１０１で、カードリーダから読み込まれたＩＤ番号の受信の有無を判断する。ＩＤ番号の受信が無いとき、Ｓ１２７へ進み、ＩＤ番号の受信が有ったとき、Ｓ１０２へ進む。
Ｓ１０２で、受信したＩＤ番号で店舗情報を検索して受信したＩＤ番号の登録の有無を判断する。ＩＤ番号の登録が無いとき、Ｓ１０３へ進み、ＩＤ番号の登録が有るとき、そのＩＤ番号が属する店舗の店舗番号を読み出してからＳ１０４へ進む。
Ｓ１０３で、ＮＧ灯を一時点滅してＳ１０１へ戻る。
Ｓ１０４で、ＯＫ灯を一時点滅してＳ１０５へ進む。
Ｓ１０５で、読み出した店舗番号に係わる店舗の出勤表を受信したＩＤ番号により検索して、受信したＩＤ番号に対応する出勤中フラグ欄に出勤中フラグが立っているか否かを判断する。出勤中フラグが立っているときは、Ｓ１０６へ進み、出勤中フラグが立っていないときは、Ｓ１１１へ進む。
Ｓ１０６で、受信したＩＤ番号に対応する人は退勤しようとしていると判断し、出勤表の出勤中フラグを倒す。
Ｓ１０７で、出勤簿のその人の退勤時刻欄に退勤時刻を記憶する。
Ｓ１０８で、読み出した店舗番号に係わる店舗の出勤表の出勤中フラグ欄を検索して、立っている出勤中フラグの有無を判断する。立っている出勤中フラグが無いときＳ１０９へ進み、立っている出勤中フラグが有るとき在席している人がいるとしてＳ１０１へ戻る。
Ｓ１０９で、侵入監視を開始することを知らせるためにＯＫ灯とＮＧ灯とを同時に一時点滅し、Ｓ１１０へ進む。
Ｓ１１０で、侵入センサを有効状態に切り替えて読み出した店舗番号に係わる店舗の侵入監視を開始してＳ１１６へ進む。
【００１６】
Ｓ１１１で、読み出した店舗番号に係わる店舗の出勤表の出勤中フラグ欄を検索して、立っている出勤中フラグの有無を判断する。立っている出勤中フラグが無いときＳ１１２へ進み、立っている出勤中フラグがあるとき在席している人がいるとしてＳ１０１へ戻る。
Ｓ１１２で、侵入センサを無効状態に切り替えて読み出した店舗番号に係わる店舗の侵入監視を中止する。
Ｓ１１３で、侵入監視を中止したことを知らせるためにＯＫ灯とＮＧ灯とを交互に一時点滅し、Ｓ１１４へ進む。
Ｓ１１４で、その人は出勤しようとしていると判断し、出勤表の出勤中フラグを立てる。
Ｓ１１５で、出勤簿のその人の出勤時刻欄に出勤時刻を記憶して、Ｓ１０１へ戻る。
【００１７】
これから説明する手順は図７に示す。
Ｓ１１６で、侵入センサからの警報信号の発信の有無を判断する。警報信号の発信があるとき、Ｓ１１７へ進み、警報信号の発信が無いとき、Ｓ１１９へ進む。
Ｓ１１７で、管理人室のベルを鳴動して侵入があることを報知してＳ１１８へ進む。
Ｓ１１８で、管理人は、侵入の状況を確認し、必要な対処を施すとともにベルの鳴動を停止する。
【００１８】
Ｓ１１９で、カードリーダから読み込まれたＩＤ番号の受信の有無を判断する。ＩＤ番号の受信が無いとき、Ｓ１１６へ戻り、ＩＤ番号の受信が有ったとき、Ｓ１２０へ進む。
Ｓ１２０で、受信したＩＤ番号で店舗情報を検索してそのＩＤ番号の登録の有無を判断する。ＩＤ番号の登録が無いとき、Ｓ１２１へ進み、ＩＤ番号の登録が有るとき、そのＩＤ番号が属する店舗の番号を読み出してからＳ１２２へ進む。
Ｓ１２１で、ＮＧ灯を一時点滅してＳ１１６へ戻る。
Ｓ１２２で、ＯＫ灯を一時点滅してＳ１２３へ進む。
Ｓ１２３で、その人は出勤しようとしていると判断し、出勤表の出勤中フラグを立てる。
Ｓ１２４で、出勤簿のその人の出勤時刻欄に出勤時刻を記憶して、Ｓ１２５へ進む。
Ｓ１２５で、侵入センサを無効状態に切り替えて読み出した店舗番号に係わる店舗の侵入監視を中止する。
Ｓ１２６で、侵入監視を中止したことを知らせるためにＯＫ灯とＮＧ灯とを交互に一時点滅し、Ｓ１０１へ戻る。
【００１９】
これから説明する手順は戻って図６に示す。
Ｓ１２７で、現時刻が所定の時刻に達しているか否かを判断する。達したときＳ１２８へ進み、達していないときＳ１０１へ戻る。
Ｓ１２８で、強制的に侵入監視を開始して、Ｓ１２９へ進む。
これから説明する手順は図８に示す。
Ｓ１２９で、侵入センサからの警報信号の発信の有無を判断する。警報信号の発信があるとき、Ｓ１３０へ進み、警報信号の発信が無いとき、Ｓ１３２へ進む。
Ｓ１３０で、管理人室のベルを鳴動して侵入があることを報知してＳ１３１へ進む。
Ｓ１３１で、管理人は、侵入の状況を確認し、必要な対処を施すとともにベルの鳴動を停止する。
【００２０】
Ｓ１３２で、カードリーダから読み込まれたＩＤ番号の受信の有無を判断する。ＩＤ番号の受信が無いとき、Ｓ１２９へ戻り、ＩＤ番号の受信が有ったとき、Ｓ１３３へ進む。
Ｓ１３３で、受信したＩＤ番号で店舗情報を検索してそのＩＤ番号の登録の有無を判断する。ＩＤ番号の登録が無いとき、Ｓ１３４へ進み、ＩＤ番号の登録が有るとき、そのＩＤ番号が属する店舗の番号を読み出してからＳ１３５へ進む。
Ｓ１３４で、ＮＧ灯を一時点滅してＳ１２９へ戻る。
Ｓ１３５で、ＯＫ灯を一時点滅してＳ１３６へ進む。
Ｓ１３６で、読み出した店舗番号に係わる店舗の出勤表を受信したＩＤ番号により検索して、受信したＩＤ番号に対応する出勤中フラグ欄に出勤中フラグが立っているか否かを判断する。出勤中フラグが立っているときは、Ｓ１３７へ進み、出勤中フラグが立っていないときは、Ｓ１３９へ進む。
Ｓ１３７で、受信したＩＤ番号に対応する人は退勤しようとしていると判断し、出勤表の出勤中フラグを倒す。
Ｓ１３８で、出勤簿のその人の退勤時刻欄に退勤時刻を記憶してＳ１２９へ戻る。
Ｓ１３９で、その人は出勤しようとしていると判断し、出勤表の出勤中フラグを立てる。
Ｓ１４０で、出勤簿のその人の出勤時刻欄に出勤時刻を記憶して、Ｓ１４１へ進む。
Ｓ１４１で、侵入センサ４を無効状態に切り替えて読み出した店舗番号に係わる店舗３の侵入監視を中止する。
Ｓ１４２で、侵入監視を中止したことを知らせるためにＯＫ灯とＮＧ灯とを交互に一時点滅し、Ｓ１０１へ戻る。
【００２１】
このように、店舗３に勤務している人によりカードリーダ１１からＩＤ番号が入力されるだけで、出退勤管理のためのデータが収集されるとともに、出勤中の人の在不在から最後に退場する人を特定し、侵入監視が開始されるので、出勤時と退勤時それぞれ１回だけＩＤ番号を入力すればよい。
また、最終退場者は自身としては最終に退場するという面倒な確認をしなくてもよい。
また、店舗３に勤務している人にとっては侵入監視中であるか否かを確認する必要がないので、従来その確認のために備えられていた表示器をなくすことができた。
また、１台のカードリーダを用意すればよいので、侵入監視システムとして安い費用でシステム構築ができる。
また、この発明に係わる侵入監視システムは、特に、大型スーパーの専門店群などで店舗間に仕切が無く、カードリーダの設置スペースも限られている場合に省スペースの効果がある。
【００２２】
なお、侵入監視の中止は当日の一番先に出勤した人のＩＤ番号の取得に基づいて行われる例を説明したが、例えば開店時刻に強制的に中止してもよい。
また、各店舗３に１つのＩＤ番号が割り当てられ、店舗に勤務する人はその店舗に割り当てられたＩＤ番号が記憶されたＩＤカードをそれぞれ所持しているときでも、個人の出退勤管理はできないが、上述したように各店舗３の最終退場者や一番先の入場者を特定することができ、侵入監視の開始と中止を行うことができる。
また、通常は出退勤管理だけ行い、監視を強化する必要な時だけ、侵入監視を行ってもよい。
【図面の簡単な説明】
【００２３】
【図１】この発明の実施の形態に係わる侵入監視システムが配置された建物の構成図である。
【図２】実施の形態に係わる侵入監視システムのカードリーダの斜視図である。
【図３】実施の形態に係わる侵入監視システムの制御装置の機能ブロック図である。
【図４】制御装置のデータベースに格納されている出勤簿のデータ構造図である。
【図５】制御装置のデータベースに格納されている出席表のデータ構造図である。
【図６】実施の形態に係わる侵入監視システムを用いた出退勤管理および侵入センサの制御の手順の一部を示すフローチャートである。
【図７】実施の形態に係わる侵入監視システムを用いた出退勤管理および侵入センサの制御の手順の他の一部を示すフローチャートである。
【図８】実施の形態に係わる侵入監視システムを用いた出退勤管理および侵入センサの制御の手順の他の一部を示すフローチャートである。
【符号の説明】
【００２４】
１  侵入監視システム、２  フロア、３  店舗、４  侵入センサ、１１  カードリーダ、１２  制御装置、１３  ベル、１５  管理室、１６  通信回線、２１  リーダヘッド、２２  表示器、２３  ＯＫ灯、２４  ＮＧ灯、２５  データベース、２６  個人認証手段、２７  出退勤管理手段、２８  センサ制御手段、３１  店舗情報テーブル、３２  出勤簿、３３  出勤表、３４  ＩＤ番号欄、３５  出勤中フラグ欄。
【図１】
2007018084.tif 000003
【図２】
2007018084.tif 000004
【図３】
2007018084.tif 000005
【図４】
2007018084.tif 000006
【図５】
2007018084.tif 000007
【図６】
2007018084.tif 000008
【図７】
2007018084.tif 000009
【図８】
2007018084.tif 000010